(57)【要約】【課題】店頭や展示会場などにて商品等を展示陳列する際に使用するアイキャッチ機能を備えた紙製の展示用箱体において、エコロジー的な面や廃棄処理の面、及び低価格な紙製の箱体であって、該箱体に一体に支持されてスイング機能を発揮する紙製の振り子を備えた展示用箱体を提供することにある。【解決手段】立方体形状又は直方体形状の紙製の箱体Ａと、該箱体Ａに一体に支持されて該箱体上部開口部Ａ1 より上方に先端部が垂直に突出する揺動可能な細長い紙製のシート状振り子Ｂとを備える。【選択図】図１
2006335369.tif 000002
【特許請求の範囲】
【請求項１】
立方体形状又は直方体形状の紙製の箱体と、該箱体に一体に支持されて該箱体上部開口部より上方に先端部が垂直に突出する揺動可能な細長い紙製のシート状振り子とを備えることを特徴とするアイキャッチ機能を備えた展示用箱体。
【請求項２】
請求項１記載のアイキャッチ機能を備えた展示用箱体において、前記揺動可能な細長い紙製のシート状振り子が前記箱体の内部に設けた箱体上部開口部より低位置の仕切部に一体に連続して支持されていることを特徴とするアイキャッチ機能を備えた展示用箱体。
【請求項３】
請求項１記載のアイキャッチ機能を備えた展示用箱体において、前記揺動可能な細長い紙製のシート状振り子が、前記箱体の内部に設けた箱体上部開口部と略同高さ位置の仕切部に一体に連続して支持されていることを特徴とするアイキャッチ機能を備えた展示用箱体。
【請求項４】
請求項１乃至３のいずれか１項記載のアイキャッチ機能を備えた展示用箱体において、前記展示用箱体の底部を開放することにより偏平な平行四辺形状体に折り畳み可能であることを特徴とするアイキャッチ機能を備えた展示用箱体。
【発明の詳細な説明】
【技術分野】
【０００１】
本発明は、店頭や展示会場などにて商品等を展示陳列する際に使用するアイキャッチ機能を備えた展示用箱体に関する。
【背景技術】
【０００２】
現在、広く公開され、多用されているアイキャッチ機能を備えた商品販売促進用のツールとしては、スイング機能を備えた金属性やプラスチック製の弾力性のあるシートや板バネを用いた振り子がある。
【０００３】
その素材のもつ特性から、耐久性に優れてはいるが、近年、問われている環境に優しいエコロジー的な面や廃棄処理の面、あるいは価格帯等を考慮すれば、決して消費者のニーズに対応している物ではない。
【０００４】
以下に、本発明に関連する公知の特許文献を記載する。
【特許文献１】特開２００１−１６８７号公報
【発明の開示】
【発明が解決しようとする課題】
【０００５】
本発明の課題は、店頭や展示会場などにて商品等を展示陳列する際に使用するアイキャッチ機能を備えた紙製の展示用箱体において、エコロジー的な面や廃棄処理の面、及び低価格な紙製の箱体であって、該箱体に一体に支持されてスイング機能を発揮する紙製の振り子を備えた展示用箱体を提供することにある。
【課題を解決するための手段】
【０００６】
本発明の請求項１に係る発明は、立方体形状又は直方体形状の紙製の箱体と、該箱体に一体に支持されて該箱体上部開口部より上方に先端部が垂直に突出する揺動可能な細長い紙製のシート状振り子とを備えることを特徴とするアイキャッチ機能を備えた展示用箱体である。
【０００７】
本発明の請求項２に係る発明は、上記請求項１に係るアイキャッチ機能を備えた展示用箱体において、前記揺動可能な細長い紙製のシート状振り子が前記箱体の内部に設けた箱体上部開口部より低位置の仕切部に一体に連続して支持されていることを特徴とするアイキャッチ機能を備えた展示用箱体である。
【０００８】
本発明の請求項３に係る発明は、上記請求項１に係るアイキャッチ機能を備えた展示用箱体において、前記揺動可能な細長い紙製のシート状振り子が、前記箱体の内部に設けた箱体上部開口部と略同高さ位置の仕切部に一体に連続して支持されていることを特徴とするアイキャッチ機能を備えた展示用箱体である。
【０００９】
本発明の請求項４に係る発明は、上記請求項１乃至３のいずれか１項に係るアイキャッチ機能を備えた展示用箱体において、前記展示用箱体の底部を開放することにより偏平な平行四辺形状体に折り畳み可能であることを特徴とするアイキャッチ機能を備えた展示用箱体である。
【発明の効果】
【００１０】
本発明のアイキャッチ機能を備えた展示用箱体は、立方体形状又は直方体形状の紙製の
箱体の内部にて又は該箱体の上部開口部の高さにて、一体に支持されて、該箱体上部開口部より上方に先端部が垂直に突出する揺動可能な細長い紙製のシート状振り子を備えるものであり、揺動可能な細長い紙製のシート状振り子によるアイキャッチ機能を備えた紙製の展示用箱体として店頭や展示会場などにて商品等を展示陳列する際に効果的であり、紙製の箱体に一体に支持されてスイング機能を発揮する紙製の振り子を備え、紙を主体としたものであるため、環境に無害でありエコロジー的な面において優れ、廃棄処理や資源回収再生処理も容易であり、低価格な振り子によるアイキャッチ機能を備えた展示用箱体として効果的である。
【発明を実施するための最良の形態】
【００１１】
本発明のアイキャッチ機能を備えた展示用箱体を、図１の全体斜視図に基づいて以下に詳細に説明すれば、立方体形状（図示せず）又は直方体形状（図示）の紙製の箱体Ａと、該箱体Ａに一体に支持されて、該箱体Ａの上部開口部Ａ1 より上方に、先端部が垂直に突出する揺動可能な細長い紙製のシート状振り子Ｂとにより構成されている。
【００１２】
揺動可能な細長い紙製の前記シート状振り子Ｂは、例えば、図１に示すように前記箱体Ａの内部に設けた箱体上部開口部Ａ1 より低位置（実線位置）の仕切部Ｃにて一体に支持されているものである。
【００１３】
また、前記シート状振り子Ｂは、前記箱体Ａの内部に設けた箱体上部開口部Ａ1 と略同じ高さ位置（二点鎖線位置）の仕切部Ｃにて一体に支持されているものである。
【００１４】
また、前記シート状振り子Ｂの先端部は、必要に応じて、後述する紙製の揺動ディスプレイ板又は紙製の錘体Ｂが、該振り子Ｂに対して一体（例えば、先端部を振り子Ｂの幅より広幅に角形又は円形に形成したディスプレイ板、又は先端部を二折り、三折り等に折込んだ錘体）に形成されているか、又は別体として取り付けられている。
【００１５】
図２は、本発明のアイキャッチ機能を備えた展示用箱体を製函するための展開ブランクシートであり、正面板１の上端部に折目ａを介して底面板２が連設され、該正面板１の左右両側に各々折目ｂ、ｂを介してそれぞれフラップ板１ａ、１ａが連設され、前記底面板２に前記折目ａに対して平行な折目ｃを介して背面板３が連設され、該背面板３の左右両側に各々折目ｄ、ｄを介してそれぞれフラップ板３ａ、３ａが連設されている。なお、前記正面板１の下端部には正面ディスプレイ部Ｄが延設されていてもよい。また必要に応じて各々フラップ板１ａ、１ａの内面には、それぞれフラップ板３ａ、３ａに貼着するための接着糊、感圧接着剤（粘着剤）、感熱接着剤等の接着材３ｂが積層形成されている。
【００１６】
前記フラップ板３ａ、３ａのうちの一方のフラップ板３ａの一端部には、前記折目ｄに対して平行な各々折目ｅ、ｆ、ｇを介して、それぞれ連結板４、仕切板５（又は仕切部Ｃ）、該仕切部Ｃの貼着板７が連設され、前記仕切板５の上端には、振り子Ｂとなる細長い振り子板６が垂直方向に延設され、その振り子板６の先端部６ａには、後述する紙製の揺動ディスプレイ板又は紙製の錘体が、必要に応じて、該振り子板６に対して一体（例えば、先端部６ａを振り子板６の幅より広幅に角形又は円形に形成したディスプレイ板、又は先端部６ａを二折り、三折り等に折込んだ錘体）に形成されるか、又は別体として取り付けられる。なお、必要に応じて振り子板６の先端部６ａ等には、接着糊、感圧接着剤（粘着剤）、感熱接着剤等の接着材６ｂが積層形成されている。
【００１７】
例えば、図３に示すように、前記振り子板６の先端部６ａには、例えば振り子板６の幅より広幅の円形状の揺動ディスプレイ板又は錘体Ｅが別体として、接着剤、粘着剤、金具等にて取り付けられる。
【００１８】
また、図４（ａ）の側面図、（ｂ）の上面図、（ｃ）の正面図に示すように、前記振り子板６の先端部６ａには、例えば紙製の小片状シート８（矩形状シート）を、中央の折目ｈを介して二つ折りしてＵの字状に巻き付けて接着剤、粘着剤、金具等にて取り付け、さらに前記折目ｈを挟んで両側の各々折目ｉ、ｉを介して連設したそれぞれ貼着板８ａ、８ａを外側に直角に折り曲げて、折り曲げることにより平坦になった各々貼着板８ａ、８ａの面に、振り子板６の幅より広幅の楕円形状の揺動ディスプレイ板又は錘体Ｅを接着剤、粘着剤、金具等にて取り付けるものである。
【００１９】
図５は、図２にて示した展開ブランクシートを用いて製函された本発明のアイキャッチ機能を備えた展示用箱体の組み立て完成斜視図であり、まず、図２に示すように、折目ｇを介して仕切部Ｃの貼着板７を、仕切板５（又は仕切部Ｃ）上に折返して重ね合わせ、続いて折目ｅを介して連結板４、仕切板５（又は仕切部Ｃ）、折り返した前記貼着板７を、フラップ板３ａと背面板３上に折り重ね、前記貼着板７を背面板３上に貼着する。
【００２０】
続いて、正面板１と背面板３とを、各々折目ａ、ｃを介して同一方向に互いに対向するように底面板２に対して直角に折り立て、背面板３の左右両側の各々折目ｄ、ｄを介してフラップ板３ａ、３ａを同一方向に背面板３に対して直角に折り曲げることにより、正面板１と背面板３との対向間に、前記各々折目ｅ、ｆ、ｇを介して連設されたそれぞれ連結板４、仕切板５（又は仕切部Ｃ）、貼着板７と、背面板３、フラップ板３ａからなる偏平な平行四辺形状部分を立体に立ち上げるとともに前記仕切板５を立ち上げる。
【００２１】
続いて、正面板１の左右両側の各々折目ｂ、ｂを介してフラップ板１ａ、１ａを正面板１に対して直角に折り曲げて、各々フラップ板１ａ、１ａの内面をそれぞれフラップ板３ａ、３ａの外面に貼着することにより、図５に示すような本発明のアイキャッチ機能を備えた展示用箱体が組み立て完成する。
【００２２】
本発明の展示用箱体の振り子Ｂ及びディスプレイ部Ｅ、あるいは展示用箱体の正面板１や正面ディスプレイ部Ｄの外面領域には、展示陳列販売する商品の宣伝、広告等の情報を印刷等により適宜に表示するものである。
【図面の簡単な説明】
【００２３】
【図１】本発明のアイキャッチ機能を備えた展示用箱体の一例を説明する外観斜視図。
【図２】本発明のアイキャッチ機能を備えた展示用箱体の製函組み立て用のブランクシートの一例を説明する展開平面図。
【図３】本発明のアイキャッチ機能を備えた展示用箱体における振り子の形態の一例を説明する側面図。
【図４】（ａ）は本発明のアイキャッチ機能を備えた展示用箱体における振り子の形態の他の例を説明する側面図、（ｂ）はその上面図、（ｃ）はその正面図。
【図５】本発明のアイキャッチ機能を備えた展示用箱体を製函組み立て用のブランクシートにより組み立て製函した本発明のアイキャッチ機能を備えた展示用箱体の一例を説明する外観斜視図。
【符号の説明】
【００２４】
Ａ…箱体
Ｂ…振り子
Ｃ…仕切部
Ｄ…正面ディスプレイ部
Ｅ…ディスプレイ板
１…正面図
２…底面図
３…背面図
４…連結板
５…仕切板
６…振り子板
７…貼着板
【図１】
2006335369.tif 000003
【図２】
2006335369.tif 000004
【図３】
2006335369.tif 000005
【図４】
2006335369.tif 000006
【図５】
2006335369.tif 000007